(57)【特許請求の範囲】
【請求項１】
警備領域に設置された各種センサーに接続された無線送信機と、該無線送信機から送出された無線信号を中継する無線中継機と、該無線送信機及び該無線中継機から送出された無線信号を受信するコントローラとを有してなる無線式警備システムにおいて、前記無線中継機は前記無線送信機から受信した無線信号が所定の登録コマンドである場合にはそのままコントローラに対して中継送信し、前記所定の登録コマンド以外の場合には、登録された無線送信機からの無線信号のみを、前記コントローラに対して中継送信することを特徴とする無線式警備システム。
【請求項２】
更に、携帯型設定送信機を有し、前記無線送信機から登録コマンドを送信する前に、前記携帯型設定送信機から登録モード設定信号を送信し、コントローラを登録モードに設定することを特徴とした請求項１記載の無線式警備システム。
【発明の詳細な説明】
【０００１】
【発明の属する技術分野】
本発明は、無線システムを利用した警備システムにおいて、無線送信機のアドレスを容易にコントローラ及び無線中継機に登録できるようにした無線式警備システムに関する。
【０００２】
【従来の技術】
従来より、無線システムを利用した警備システムは種々提案されている。
これらの従来の無線式警備システムでは、図１に示すように窓や扉等に設置した侵入センサ１、火災を検知する火災センサ２、ガス漏れを検知するガスセンサ３等にそれぞれ接続された無線送信機４、５、６からの無線信号をコントローラ７で受信して監視し、侵入異常、火災異常、ガス漏れ等を検知した場合に遠隔の警備センター（図示せず）に通信回線を介して通報するように構成されている。
【０００３】
このような無線式の警備システムが多層の建物内に設置されたとき、例えば一階にコントローラ７が設置され、三階に無線送信機４〜６が設置された場合等で、無線送信機４〜６から送信された無線信号が、途中の障害物等のために直接コントローラ７で受信できない場合がある。この場合は、無線送信機４〜６からの無線信号をコントローラ７に中継するための少なくとも１台の無線中継機８を例えば二階に設置するようにしている。
【０００４】
そして、コントローラ７には、どの無線送信機及び無線中継機から信号を受信したのかを判別するために、無線送信機及び無線中継機が個別に有するアドレスコードを登録して記憶するようにしている。
この無線送信機４〜６及び無線中継機８のアドレスコードをコントローラ７に登録する従来の方法として、各種センサー１〜３と、無線送信機４〜６と、無線中継機８を建物内あるいはその周辺の必要と思われる場所に設置完了後、先ず、携帯型設定送信機９により、あるいはディップスイッチ等の操作により直接に、コントローラ７及び無線中継機８を登録モードに設定する。次いで、無線中継機８からコントローラ７に登録すべき無線中継機８のアドレス信号を含む登録信号を送信して無線中継機８のアドレスをコントローラ７に登録する。次に、無線中継機８は中継するべき無線送信機４〜６のアドレスをその無線中継機にて登録する。次いで、コントローラ７を引き続き登録モードに設定した状態で、この登録モードにおいて、登録すべき各無線送信機からその無線送信機の登録信号を無線中継機８に送信する。この場合、この登録信号に、登録すべき無線送信機のアドレス信号を含めて、無線中継機８に送信する。次いで無線中継機８は予め登録された中継すべき無線送信機からの登録信号にこの無線中継機のアドレス信号を付加してコントローラ７に送信して、コントローラ７に上記無線送信機のアドレスを登録するようにしている。
【０００５】
このように、従来は無線中継機を予め設置してその無線中継機に、中継すべき無線送信機のアドレスを登録した後に、その無線中継機を中継させて無線送信機のアドレスをコントローラに登録していた。
【０００６】
【発明が解決しようとする課題】
しかし、無線中継機が必要であるか否かは建物の状況によって異なってくるので、予め無線中継機を設置しても、実際に無線中継機を設置して無線送信をさせてみるまではそれが必要であるか否かはわからない。場合によっては、無線送信機からコントローラ７に直接送信できることもあり、この場合設置した無線中継機が無駄となる。あるいは、設置した無線中継機１台では全ての無線送信機からの無線信号を中継することができずに２台以上の無線中継機を設置する必要がある場合もある。このような場合には一担登録した１台の無線送信機から２台目の無線中継機に登録すべき無線送信機のアドレスを削除する等の変更をしなければならなくなる。従って従来のように無線中継機に予め設置した後無線送信機のアドレスを登録し、その後にコントローラに無線送信機のアドレスを無線中継機を中継して登録していたのでは、このように不要な無線中継機を設置したり、登録内容を変更する毎に、前回登録した作業が無駄になり、その無線中継機に対して中継すべき無線送信機の再登録の作業が必要になるので、作業が煩雑となるという問題があった。
【０００７】
本発明の目的は、上述の問題点を解消し、不要な無線中継機の設置や登録作業の無駄をなくし、登録作業を容易にした無線中継機を備えた無線式警備システムを提供することにある。
【０００８】
【課題を解決するための手段】
上記の目的を達成するために、本発明により提供されるものは、警備領域に設置された各種センサーに接続された無線送信機と、該無線送信機から送出された無線信号を中継する無線中継機と、該無線送信機及び該無線中継機から送出された無線信号を受信するコントローラとを有してなる無線式警備システムにおいて、前記無線中継機は前記無線送信機から受信した無線信号が所定の登録コマンドである場合にはそのままコントローラに対して中継送信し、前記所定の登録コマンド以外の場合には、登録された無線送信機からの無線信号のみを、前記コントローラに対して中継送信することを特徴とする無線式警備システムである。
【０００９】
コントローラに対する登録をした後に無線中継機に対する登録作業をするので、本来不要な無線中継機を予めコントローラに登録するといった無駄な登録作業は不要になる。
【００１０】
【発明の実施の形態】
以下、図面を参照して、本発明の実施の形態を説明する。
本発明の実施の形態による無線式警備システムのハードウエアの構成は図１と同様であるので、ここでは説明を省略する。
図２は図１における無線送信機の１つの構成例を示す機能ブロック図である。図示のように、無線送信機は、センサーからの検出信号を受信するセンサー入力部２１と、この無線送信機の固有の識別番号等のアドレス情報を保持する記憶部２２と、無線中継機８又はコントローラ７に信号を送信する送信部２３と、電源部２４と、動作を制御する制御部２５とを備えている。
【００１１】
図３は図１における無線中継機の構成例を示す機能ブロック図である。図示のように、無線中継機８は、電源のオン、オフ等を表示する表示部３１と、無線中継機８の自己のアドレスを送信し、コントローラ７に登録する為に操作するための操作部３２と、無線送信機からの信号をコントローラ７に中継送信する送信部３３と、無線送信機又はコントローラ７からの信号を受信する受信部３４と、中継すべき無線送信機及び中継先のコントローラ７の識別番号等を記憶する記憶部３５と、中継動作を制御する制御部３６とを備えている。
【００１２】
図４は図１におけるコントローラ７の構成例を示す機能ブロック図である。図示のように、コントローラ７の構成は無線中継機８の構成と類似しており、警備モード情報やセンサーの検知情報、対応する無線送信機の識別番号や、中継送信機８の識別番号等を表示する表示部４１と各種の警備モードなどを設定する等の操作をするための操作部４２と、無線中継機８に登録確認コマンドやアドレス登録コマンド（後に詳述する）を送信する送信部４３と、無線送信機又は無線中継機８からの信号を受信する受信部４４と、関係する無線中継機８や無線送信機の識別番号等を記憶する記憶部４５と、登録動作等を制御する制御部３６とを備えている。
【００１３】
図５は本発明の実施の形態による、無線式警備システムを説明するタイムシーケンス図である。図６は図２における携帯型設定送信機９の動作を説明するフローチャートである。図７は図２における無線中継機８の動作を説明するフローチャートである。図８は図２におけるコントローラ７の動作を説明するフローチャートである。携帯型設定送信機９は、巡回ボタンとも称され、通常は警備員が各機器の設定のために使用する。
【００１４】
図５ないし図８を参照しながら、本発明の実施の形態による無線中継機の動作を説明する。
先ず、携帯型設定送信機９を操作して登録モード設定信号を送信しこれをコントローラ８が受信することにより、又は操作部４２におけるディップスイッチ等を操作することにより、コントローラ７を登録モード状態にしておく（図５の（１），図８のステップ８１）。次に、携帯型設定送信機９を操作することにより携帯型設定送信機９から無線中継機８に向けて、機器登録要求コマンドを送信する（図５の（２）、図６のステップ５１）。この機器登録要求コマンドはコントローラ７に対して無線送信機や無線中継機の登録待機を要求するコマンドである。無線中継器８はこの機器登録要求コマンドを携帯型設定送信機９から受信する（図７のステップ７０１）。無線中継機８はこの受信信号の種別を判定し（図７のステップ７０２，７０７，７０８）、今の場合は予め登録されている携帯型設定送信機９からの登録要求コマンドであるので、図７のステップ７０６に進み、携帯型設定送信機９からの登録要求コマンドを単にコントローラ７に中継する（図５の（３））。コントローラ７はこの中継された機器登録要求コマンドを受信する（図８のステップ８２）。これにより、コントローラ７は無線送信機及び無線中継機８からの登録コマンドを受付可能な状態となる。
【００１５】
次いで、登録しようとする無線送信機から無線中継機８に向けて登録コマンドを送信する（図５の（４））。登録コマンドには、登録コマンドであることを示すコード、登録したい機種（今の場合は無線送信機）及びその識別番号（アドレス）等が含まれている。無線中継機８はこの登録コマンドを無線送信機から受信すると、ステップ７０２，７０３で受信信号の判別をし、今の場合は無線送信機からの登録コマンドなのでステップ７０４に進み、その登録コマンドをそのままコントローラ７に中継する（図５の（５））。従来は、この段階で、無線送信機からの登録コマンドを無線中継機８に登録していたが、本発明においては無線中継機８における登録をすることなく、単に中継するだけである。もし、この段階で、この無線中継機８で中継動作ができない場合は、更に他の無線中継機８をより適切な位置に設置すればよい。無線中継機８に対する無線送信機の登録作業は未だなされていないので、無線中継機８の変更によって従来のように登録作業が無駄になるということはない。又、もしこの段階で無線中継機８を使用しなくても無線送信機からコントローラ７に直接信号を送信することができれば、無線中継機８を設置する必要がないと判断できるので、無線中継機８を無駄に設置することもなくなる。
【００１６】
コントローラ７はこの中継された登録コマンドを無線中継機８から受信し（図８のステップ８３）、受信した登録コマンドに応じて無線送信機のアドレスをコントローラ７に登録する（図８のステップ８４）。
次いでコントローラ７は機器登録確認コマンドを無線中継機８に向けて送信し（図５の（６）、図８のステップ８５）、無線中継機８はこの機器登録確認コマンドを受信すると（図７のステップ７０１，７０２，７０７，７１０，７１１）この機器登録確認コマンドを携帯型設定送信機９に中継する（図５の（７）図７のステップ７１２）。携帯型設定送信機９はこの機器登録確認コマンドを受信する（図６のステップ６２）。携帯型設定送信機９は、登録すべき他の無線送信機がある場合は、再び図５の（２）からの動作を繰り返し、無線中継機８はステップ７０１以降の動作を繰り返し、コントローラ７はステップ７０１から８６の動作を繰り返す。
【００１７】
コントローラ７においてすべての無線送信機のアドレスの登録が終了すると、コントローラ７は無線中継機８に、登録した無線送信機のすべてのアドレスを送信する（図８のステップ８７）。そして、無線中継機８は受信した無線送信機のアドレスを無線中継機８に登録する（図７のステップ７１３，７１４）。
以上で登録の処理は終了する。この後、無線中継機８が無線送信機から信号を受信し、図７のステップ７０２，７０３でその信号は無線送信機からの登録コマンドでないと判定されると、ステップ７０５で、その受信信号は図７のステップ７１４で登録された無線送信機からの信号か否かを判定し、登録された無線送信機からの信号である場合は、登録時以外の通常の運用中におけるアラーム信号と判断して、ステップ７０６で自己のアドレスを付加してコントローラ７に中継送信する。コントローラ７はこの信号を受信すると、図示しないコントロールセンタにその信号を送信する。
【００１８】
【発明の効果】
以上の説明から明らかなように、本発明によれば、無線式警備システムにおいて、無線中継機に中継すべき無線送信機のアドレスを登録する際に、まず無線送信機のアドレスをコントローラに登録したのちに無線中継機に登録するようにしたので、本来不要である無線中継機を設置したり、一担無線中継機に対する登録作業をしたのちに更に他の無線中継機を設置した場合に再度登録作業をするといった煩雑な登録作業は不要になるという効果を奏する。
【図面の簡単な説明】
【図１】本発明及び従来の無線式警備システムのハードウエア構成図である。
【図２】図１における無線送信機の１つの構成例を示す機能ブロック図である。
【図３】図１における無線中継機の構成例を示す機能ブロック図である。
【図４】図１におけるコントローラの構成例を示す機能ブロック図である。
【図５】本発明の実施の形態による無線式警備システムの動作を説明するタイムシーケンス図である。
【図６】本発明の実施の形態による携帯型設定送信機の動作を説明するフローチャートである。
【図７】本発明の実施の形態による無線中継機の動作を説明するフローチャートである。
【図８】本発明の実施の形態によるコントローラの動作を説明するフローチャートである。
【符号の説明】
１…侵入センサ
２…火災センサ
３…ガスセンサ
４〜６…無線送信機
７…コントローラ
８…無線中継機
９…携帯型設定送信機
【図１】
0003672411.tif 000002
【図２】
0003672411.tif 000003
【図３】
0003672411.tif 000004
【図４】
0003672411.tif 000005
【図５】
0003672411.tif 000006
【図６】
0003672411.tif 000007
【図７】
0003672411.tif 000008
【図８】
0003672411.tif 000009